(57)【要約】      （修正有）【課題】犯罪防止効果を発揮し、一般市民への威圧感を軽減できる監視カメラを提供する。【解決手段】監視カメラ１０は、景観や室内空間を彩る照明器具を模した装飾品１２の光源部１４のハウジング１６の内部に、ハウジングの内部空間を満たすような大きさの監視カメラ本体１８を収容したものであり、ハウジングを監視カメラ本体が透けて見える素材で形成する。これにより、潜在的犯罪者に対しては、監視カメラの存在を容易に気づかせ、逮捕リスク認知を高め、犯罪防止効果を有効に発揮させることができる。一方、装飾品そのものが監視カメラであることから、設置場所の景観や室内空間を壊さず、市民に与える威圧感を軽減することができる。【選択図】図１
0003197390.tif 000002
【実用新案登録請求の範囲】
【請求項１】
景観や室内空間を彩る照明器具又はそれを模した装飾品の光源部のハウジング内部に、ハウジングの内部空間を満たすような大きさの監視カメラ本体を収容するようにしたものであって、ハウジングを監視カメラ本体が透けて見える素材で形成することを特徴とする監視カメラ。
【請求項２】
照明器具又はそれを模した装飾品が、アンティークなガス灯又は灯篭の形態からなるものであることを特徴とする請求項１記載の監視カメラ。
【請求項３】
光源部のハウジングをテーパー状に形成し、その根元側の内部空間に監視カメラ本体を配置することを特徴とする請求項１又は請求項２記載の監視カメラ。
【考案の詳細な説明】
【技術分野】
【０００１】
本考案は、防犯を目的とする監視カメラに関する。
【背景技術】
【０００２】
近年、犯罪対策として、監視カメラ（防犯カメラ）が設置されるようになっている。一般市民は、監視カメラの設置について、犯罪を抑止でき、地域の安全・安心を図るためには必要であるとして、受け入れている。従来の監視カメラには、ガスライトを模写した電気照明装置に小型の監視カメラを内蔵したものがある（例えば、特許文献１）。
【先行技術文献】
【特許文献】
【０００３】
【特許文献１】実用新案登録第３０８０６７１（図１、３、５）
【考案の概要】
【考案が解決しようとする課題】
【０００４】
特許文献１の監視カメラは、外灯などの照明装置に監視カメラを内蔵したものである。照明装置に内蔵される監視カメラは小型のものであり、外観から容易に照明装置が監視装置を有していることが判明し難いようにしたものであった。これにより、市民に威圧感（たとえば、「監視されている、また見張られているようで嫌だ」という意識）を与えることなく監視カメラを設置することができるようにしたものであった。
【０００５】
一方、潜在的犯罪者に監視カメラの存在を気づかせ、逮捕リスク認知を高めることで監視カメラの犯罪防止効果を発揮させることができるという意見もある。たとえば、監視カメラ本体そのものを設置し、また、監視カメラが設置されていることを標示するステッカーを貼付することで、「見守られている」という安心感を市民に与えることができる。
しかし、監視カメラの存在を気づかせようとすると、市民に威圧感を与え、また、設置場所の景観や室内空間を壊すという問題が生じるおそれがあった。
【０００６】
上述の欠点を解決するために、市民に監視カメラの存在を容易に気づかせ、威圧感を軽減し、設置場所の景観や室内空間を壊さないようにした監視カメラを提供することを目的とするものである。
【課題を解決するための手段】
【０００７】
本考案の監視カメラは、景観や室内空間を彩る照明器具又はそれを模した装飾品の光源部のハウジング内部に、ハウジングの内部空間を満たすような大きさの監視カメラ本体を収容するようにしたものであって、ハウジングを監視カメラ本体が透けて見える素材で形成するようにしたものである。
また、照明器具又はそれを模した装飾品が、アンティークなガス灯又は灯篭の形態からなるものであるようにしたものである。
また、光源部のハウジングをテーパー状に形成し、その根元側の内部空間に監視カメラ本体を配置するようにしたものである。
【考案の効果】
【０００８】
本考案の監視カメラは、景観や室内空間を彩る照明器具又はそれを模した装飾品であり、その装飾品を介して監視カメラに目を向かせるようにしたものである。本考案の監視カメラによると、一般市民は、景観又は室内空間を彩る照明器具又はそれを模した装飾品を見たときに、その装飾品に収容されている監視カメラ本体に容易に気づくことができることから、「見守られている」という安心感を市民に与えることができる。
また、潜在的犯罪者に対して、監視カメラの存在を容易に気づかせることができ、逮捕リスク認知を高めることができ、犯罪防止効果を有効に発揮させることができる。
また、本考案の監視カメラは、景観や室内空間を彩る照明器具又はそれを模した装飾品自体が監視カメラである。これにより、市民の威圧感を軽減できるとともに、設置場所の景観や室内空間を壊さずに監視カメラを設置することができる。
【図面の簡単な説明】
【０００９】
【図１】本考案の監視カメラの実施形態の一例を表わす図である。
【図２】本考案の監視カメラの監視カメラ本体を表わす図である。
【図３】本考案の監視カメラの他の実施形態を表わす図である。
【図４】本考案の監視カメラの他の実施形態を表わす図である。
【考案を実施するための最良の形態】
【００１０】
本考案は、犯罪防止効果を発揮させ、監視カメラの設置に対する威圧感を軽減することを実現するものである。
【実施例】
【００１１】
本考案の監視カメラを図に基づいて説明する。図１は、本考案の監視カメラの実施形態を表わす図である。図２は、本考案の監視カメラの監視カメラ本体を表わす図であり、図（ａ）は正面図、図（ｂ）は側面図である。図３及び図４は、本考案の監視カメラの他の実施形態を表わす図である。
本考案の監視カメラ１０は、景観や室内空間を彩る照明器具を模した装飾品１２の光源部１４のハウジング１６内に、ハウジング１６の内部空間を満たすような大きさの監視カメラ本体１８を収容したものである。また、ハウジング１６を監視カメラ本体１８が透けて見える素材で形成させている。これにより、照明器具を模した装飾品１２の設置場所を通過する通行人又は室内に居る住居者（市民）は、外部からハウジング１６内の監視カメラ本体１８を容易に確認することができる。
景観や室内空間を彩る照明器具を模した装飾品１２は、街の景色や室内を装飾するインテリア商品であり、市民の目を引くものである。本考案の監視カメラ１０は、景観又は室内空間を彩る照明器具を模した装飾品１２を介して、監視カメラ本体１８に気付かせるようにしたものである。市民は、景観又は室内空間を彩る装飾品１２を見たときに、容易に監視カメラ本体１８に気づくことから、「見守られている」という安心感を市民に与えることができる。
また、潜在的犯罪者に対して、監視カメラ１０の存在を容易に気づかせることができることから、逮捕リスク認知を高めることができ、犯罪防止効果を有効に発揮させることができる。
【００１２】
本考案の監視カメラ１０は、景観や室内空間を彩る装飾品１２に監視カメラ本体１８を収容したものであり、装飾品１２そのものが監視カメラである。したがって、設置場所の景観や室内空間を壊さずに、監視カメラを設置することができることから、威圧感を軽減することができる。
老人ホームの入居者の部屋にて、図１に示すようなアンティークなガス灯又は灯篭の形態を模した室内装飾品の光源部のハウジング内に監視カメラ本体を取り付けた本考案の監視カメラ１０と、そのハウジングに外観から容易に監視カメラを有していることが判明し難い小型監視カメラを取り付けた室内装飾品（特許文献１の監視カメラ）を用いて、入居者の行動をモニター調査した。調査の結果、判明し難い小型監視カメラを取り付けた室内装飾品を室内に設置した場合、室内装飾品の監視カメラを気にするモニターが多く見られた。これに対し、本考案の監視カメラ１０を設置した場合は、監視カメラ本体１８を気にする行動をとる入居者は少なく、監視されているという意識（威圧感）を持ったモニターは見当たらなかった。
以上のとおり、ガス灯のようなアンティークな照明器具を模したものに監視カメラ本体を取り付けて監視カメラ１０を設置することで、監視カメラ１０を注目させることができ、監視カメラの設置地帯であることを市民に周知させることができるとともに、監視カメラに対する威圧感を軽減することができる。
【００１３】
レンズ部１８ａを備える監視カメラ本体１８は、ホルダー２０を介して、装飾品１２の光源部１４のハウジング１６内に取り付けられている。図１において、ホルダー２０は、監視カメラ本体１８をハウジング１６の内部空間中に保持するように取り付けられている。また、ハウジング１６の内部空間を満たすような大きさの監視カメラ本体１８を収容する。この場合、潜在的犯罪者が装飾品１２を見たときに、監視カメラ本体１８の存在に容易に気づかせることができることから、潜在的犯罪者に監視カメラの設置を意識させ、威嚇することができ、犯罪防止効果を発揮させることができる。
【００１４】
図１の監視カメラ１０において、光源部１４のハウジング１６は、テーパー状に形成されている。テーパー状に形成されたハウジング１６の根元側（ハウジング上部）の内部空間の広い場所に監視カメラ本体１８を配置する（図１乃至４）。根元側の内部空間の広い場所には、より大きな監視カメラ本体１８を収容することができ、潜在的犯罪者及び市民に対し監視カメラ本体１８を容易に気づかせることができる。
なお、監視カメラ本体１８を起動するための電源は、監視カメラ１０の外部又は内部に設けられているものとする（図示せず）。
【００１５】
ハウジング１６は、監視カメラ本体１８を収容するものであり、その監視カメラ本体１８が透けて見える素材（ガラス材、合成樹脂材等）で形成されている。また、ハウジング１６の外観形状は、監視カメラ本体１８が被写体を鮮明に撮影できるような形状に形成する。たとえば、ハウジングを外灯、門柱灯又はガス灯の照明部分のハウジングを模した形態（略四角柱、略六角柱の形状）に形成するのが好ましい。
【００１６】
監視カメラ１０は、街路や、学校などの公共施設、商業施設、老人ホーム、医療施設等の室内外配置できる。また、監視カメラ１０は、街路や建築物にすでに設置されている外灯、門柱灯、ガス灯等の光源１４（電球等）とともに監視カメラ本体１８を取り付けることにより、容易に実施することができ、設置コストの最小化を図ることができる（図１、図３、図４）。
【符号の説明】
【００１７】
１０  監視カメラ
１２  装飾品
１４  光源部
１６  ハウジング
１８  監視カメラ本体
【図１】
0003197390.tif 000003
【図２】
0003197390.tif 000004
【図３】
0003197390.tif 000005
【図４】
0003197390.tif 000006